(57)【要約】【解決手段】保安器Ｓを構成する基台ユニットＳ２に形成された支持片ｓ６のスプリング支持ピンｓ６ａに、バネ部材ＥのＵ字状本体部ｅ１の一端に形成された環状係止部ｅ２が挿入されているとともに、操作部材Ｈを構成する支持片ｈ３に穿設されたスプリング支持孔ｈ３ｃに、バネ部材ＥのＵ字状本体部ｅ１のもう一端に形成されたフック状部ｅ３が係止されており、ＤＩＮレールＲからの保安器Ｓの取り外し可能なロック解除状態においては、操作部材Ｈが、上方に移動しないように構成したものである。【効果】操作部材Ｈを、操作することなく、ＤＩＮレールＲからの保安器Ｓの取り外し作業を、容易に、且つ、迅速に行なうことができる。【選択図】図９
2013215031.tif 000002
【特許請求の範囲】
【請求項１】
保安器のＤＩＮレールへの取付装置において、保安器を構成する基台ユニットに形成された支持片のスプリング支持ピンに、バネ部材のＵ字状本体部の一端に形成された環状係止部が挿入されているとともに、操作部材を構成する支持片に穿設されたスプリング支持孔に、バネ部材のＵ字状本体部のもう一端に形成されたフック状部が係止されており、保安器とＤＩＮレールとのロック状態においては、バネ部材の弾性力により、操作部材が下方に移動しないように構成されており、また、ＤＩＮレールからの保安器の取り外し可能なロック解除状態においては、操作部材が、上方に移動しないように構成されており、ＤＩＮレールからの保安器の取り外し作業の際に、操作部材の上方への移動が阻止されるように構成したことを特徴とする保安器のＤＩＮレールへの取付装置。
【請求項２】
操作部材に形成されたガイド片が、保安器の基台ユニットに形成された係合部のガイド凹部に挿入されるように構成したことを特徴とする請求項１に記載の保安器のＤＩＮレールへの取付装置。
【発明の詳細な説明】
【技術分野】
【０００１】
本発明は、サージ防護ユニットと基台ユニットとからなる保安器のＤＩＮレールへの取付装置に関するものである。
【背景技術】
【０００２】
保安器のＤＩＮレールへの取付装置において、保安器を構成する基台ユニットのＤＩＮレールが嵌合される嵌合凹部の相対する側壁の一方の側壁に、固定的に形成された固定係止突起部と、相対する側壁のもう一方の側壁に、固定係止突起部に対して、接近・離反方向に移動可能な移動係止部材とを配設し、ＤＩＮレールの上端係止垂直部を、固定係止突起部に係止し、次いで、移動係止部材を、固定係止突起部から離反する方向に移動させた後、嵌合凹部に、ＤＩＮレールを嵌合させ、その後、移動係止部材を、固定係止突起部方向に接近させることにより、ＤＩＮレールに、保安器を取り付けるように構成された保安器のＤＩＮレールへの取付装置が特許文献１に記載されている。
【先行技術文献】
【特許文献】
【０００３】
【特許文献１】ＷＯ  ２００７／０９３５７２  Ａ１
【発明の概要】
【発明が解決しようとする課題】
【０００４】
特許文献１に記載されている保安器のＤＩＮレールへの取付装置においては、ＤＩＮレールから保安器を取り外す際には、移動係止部材を、固定係止突起部から離反する方向に移動させることになるが、保安器の取外作業中に、移動係止部材が、固定係止突起部方向に接近しないように、作業者が、一方の手で、移動係止部材を保持しなければならず、もう一方の片方の手で、保安器を、ＤＩＮレールから取り外さなければならない。そのため、保安器のＤＩＮレールからの取外作業の作業性が悪いという問題があった。
【０００５】
本発明の目的は、上述した従来の保安器のＤＩＮレールへの取付装置が有する課題を解決することにある。
【課題を解決するための手段】
【０００６】
本発明は、上述した目的を達成するために、保安器のＤＩＮレールへの取付装置において、第１には、保安器Ｓを構成する基台ユニットＳ２に形成された支持片ｓ６のスプリング支持ピンｓ６ａに、バネ部材ＥのＵ字状本体部ｅ１の一端に形成された環状係止部ｅ２が挿入されているとともに、操作部材Ｈを構成する支持片ｈ３に穿設されたスプリング支持孔ｈ３ｃに、バネ部材ＥのＵ字状本体部ｅ１のもう一端に形成されたフック状部ｅ３が係止されており、保安器ＳとＤＩＮレールＲとのロック状態においては、バネ部材Ｅの弾性力により、操作部材Ｈが下方に移動しないように構成されており、また、ＤＩＮレールＲからの保安器Ｓの取り外し可能なロック解除状態においては、操作部材Ｈが、上方に移動しないように構成されており、ＤＩＮレールＲからの保安器Ｓの取り外し作業の際に、操作部材Ｈの上方への移動が阻止されるように構成したものであり、第２には、操作部材Ｈに形成されたガイド片ｈ４が、保安器Ｓの基台ユニットＳ２に形成された係合部ｓ７のガイド凹部ｓ７ｃに挿入されるように構成したものである。
【発明の効果】
【０００７】
本発明は、上述した構成を有しているので、以下に記載する効果を奏することができる。
【０００８】
上述したように、保安器のＤＩＮレールへの取付装置において、保安器Ｓを構成する基台ユニットＳ２に形成された支持片ｓ６のスプリング支持ピンｓ６ａに、バネ部材ＥのＵ字状本体部ｅ１の一端に形成された環状係止部ｅ２が挿入されているとともに、操作部材Ｈを構成する支持片ｈ３に穿設されたスプリング支持孔ｈ３ｃに、バネ部材ＥのＵ字状本体部ｅ１のもう一端に形成されたフック状部ｅ３が係止されており、保安器ＳとＤＩＮレールＲとのロック状態においては、バネ部材Ｅの弾性力により、操作部材Ｈが下方に移動しないように構成されており、また、ＤＩＮレールＲからの保安器Ｓの取り外し可能なロック解除状態においては、操作部材Ｈが、上方に移動しないように構成されており、ＤＩＮレールＲからの保安器Ｓの取り外し作業の際に、操作部材Ｈの上方への移動が阻止されるように構成したので、ＤＩＮレールＲからの保安器Ｓの取り外し作業を、容易に、且つ、迅速に行なうことができ、ＤＩＮレールＲからの保安器Ｓの取り外し作業の作業性が向上する。
【０００９】
操作部材Ｈに形成されたガイド片ｈ４が、保安器Ｓの基台ユニットＳ２に形成された係合部ｓ７のガイド凹部ｓ７ｃに挿入されるように構成したので、操作部材Ｈを、円滑に、且つ、安定して移動させることができる。
【図面の簡単な説明】
【００１０】
【図１】図１は、本発明の保安器のＤＩＮレールへの取付装置の斜視図である。
【図２】図２は、本発明の保安器の分解斜視図である。
【図３】図３は、本発明の保安器が、ＤＩＮレールから取り外された状態の斜視図である。
【図４】図４は、本発明の保安器の基台ユニット、バネ部材及び操作部材の分解斜視図である。
【図５】図５は、本発明の保安器の基台ユニットの長手方向に沿った部分垂直断面図である。
【図６】図６は、本発明の操作部材の斜視図である。
【図７】図７は、同じく、本発明の操作部材の斜視図である。
【図８】図８は、本発明のバネ部材の正面図である。
【図９】図９は、本発明の保安器を構成する基台ユニットの長手方向に沿った部分垂直断面図である。
【図１０】図１０は、本発明の保安器にバネ部材及び操作部材が取り付けられた状態の一部断面を含む斜視図である。
【図１１】図１１は、保安器がＤＩＮレールに取り付けられた状態の一部垂直断面図である。
【図１２】図１２は、同じく、保安器がＤＩＮレールに取り付けられた状態の一部垂直断面図である。
【実施例】
【００１１】
以下に、本発明の実施例について説明するが、本発明の趣旨を越えない限り、何ら、実施例に限定されるものではない。
【００１２】
先ず最初に、図１〜図３を用いて、保安器ＳのＤＩＮレールＲへの取付装置の全体構成について説明する。
【００１３】
保安器Ｓは、サージ防護ユニットＳ１と、該サージ防護ユニットＳ１が嵌合される嵌合凹部Ｓ２’を有する基台ユニットＳ２とを有している。また、ＤＩＮレールＲは、長手方向に垂直な断面形状が、略Ｃ字状のレール本体ｒ１を有しており、レール本体ｒ１は、垂直部ｒ１ａと、垂直部ｒ１ａの上端から、水平方向に延在する上部水平部ｒ１ｂと、垂直部ｒ１ａの下端から、水平方向に延在する下部水平部ｒ１ｃとを有している。更に、レール本体ｒ１の上部水平部ｒ１ｂの先端には、上部水平部ｒ１ｂに垂直な上部垂直係止部ｒ２が形成されており、なお更に、レール本体ｒ１の下部水平部ｒ１ｃの先端には、下部水平部ｒ１ｃに垂直な下部垂直係止部ｒ３が形成されている。上部垂直係止部ｒ２と下部垂直係止部ｒ３は、互いに、離反するように延在している。
【００１４】
図２に示されているように、保安器Ｓを構成する基台ユニットＳ２は、公知のように、垂直部ｓ１と、該垂直部ｓ１の上部から水平方向に延在する上部水平部ｓ２と、垂直部ｓ１の下部から水平方向に延在する下部水平部ｓ３とを有しており、垂直部ｓ１と、一対の相対する上部水平部ｓ２及び下部水平部ｓ３とにより、サージ防護ユニットＳ１が嵌合される嵌合凹部Ｓ２’が形成されている。また、嵌合凹部Ｓ２’側に位置する垂直部ｓ１の側面（以下、単に、嵌合凹部側側面という。）ｓ１ａの中央部には、凹部ｓ１ｂが形成されており、サージ防護ユニットＳ１の嵌合凹部Ｓ２’側に位置する側面の中央部に突設された嵌合凸部ｓ４が、凹部ｓ１ｂに嵌合されることになる。
【００１５】
また、図２に示されているように、嵌合凹部Ｓ２’の外側に位置する垂直部ｓ１の側面（以下、単に、外側側面という。）ｓ１ｃには、上部水平部ｓ２側に位置する外側側面ｓ１ｃを残して、外側側面ｓ１ｃを削除することにより、上端水平面ｓ５ａと垂直面ｓ５ｂとからなる段差部ｓ５が形成されている。段差部ｓ５を形成する上端水平面ｓ５ａには、垂直面ｓ５ｂとの間に、ＤＩＮレールＲの上部垂直係止部ｒ２が挿入可能な間隙を形成するような、固定係止突起部ｓ５ｃが垂下されている。
【００１６】
図４に示されているように、段差部ｓ５を形成する垂直面ｓ５ｂの下端部領域の中央部には、垂直面ｓ５ｂの長手方向に沿ってスリットＧが形成されている。本実施例において、スリットＧは、幅広のスリットｇ１と幅狭のスリットｇ２とにより形成されているが、同じ幅で形成してもよい。
【００１７】
図４に示されているように、スリットＧの中央部が位置する垂直面ｓ５ｂの裏面には、裏面に垂直な支持片ｓ６が突設されており、支持片ｓ６の先端には、スプリング支持ピンｓ６ａが突設されている。
【００１８】
段差部ｓ５を形成する垂直面ｓ５ｂの下端部領域には、スリットＧに沿って、スリットＧの両側に、それぞれ、２個ずつ、合計４個の係合部ｓ７が形成されている。係合部ｓ７は、垂直面ｓ５ｂに垂直な垂直片ｓ７ａと、該垂直片ｓ７ａの上端から、スリットＧから遠ざかる方向に延在する平行片ｓ７ｂとから形成されている。スリットＧの両側に、それぞれ、２個ずつ形成された係合部ｓ７は、垂直面ｓ５ｂの長手方向の中心線に沿って、それぞれ、線対称に形成されている。そして、垂直片ｓ７ａと平行片ｓ７ｂと垂直面ｓ５ｂとにより、ガイド凹部ｓ７ｃが形成されている。なお、スリットＧの両側に、それぞれ、２個ずつ形成された係合部ｓ７を一体に形成してもよい。
【００１９】
次に、図６及び図７を用いて、操作部材Ｈについて説明する。
【００２０】
操作部材Ｈには、平板部ｈ１と、平板部ｈ１の相対する長辺ｈ１ａから垂直に垂設された相対する長辺側側壁部ｈ２とが形成されており、また、平板部ｈ１の中央部には、平板部ｈ１に垂直で、且つ、長辺側側壁部ｈ２方向に延在する水平部ｈ３ａと、水平部ｈ３ａに垂直で上方に延在する垂直部ｈ３ｂとからなる支持片ｈ３が形成されており、垂直部ｈ３ｂには、スプリング支持孔ｈ３ｃが穿設されている。
【００２１】
相対する長辺側側壁部ｈ２の先端には、長辺側側壁部ｈ２に垂直で、且つ、互いに接近する方向に延在するガイド片ｈ４が形成されている。本実施例においては、長辺側側壁部ｈ２毎に、所定に間隔を置いて、２個のガイド片ｈ４が形成されている例が示されているが、２個のガイド片ｈ４を連続して、一体に形成してもよい。
【００２２】
長辺側側壁部ｈ２の一方の端部には、平板部ｈ１の相対する短辺ｈ１ｂの一方の短辺ｈ１ｂから突出するように係止突片ｈ２ａが形成されている。また、係止突片ｈ２ａのガイド片ｈ４側に位置する角部を削除することにより、傾斜部ｈ２ｂが形成されており、また、傾斜部ｈ２ｂと相対する係止突片ｈ２ａの角部を削除することにより、ガイド傾斜部ｈ２ｃが形成されている。なお、ｈ５は、上述した支持片ｈ３を形成するために、平板部ｈ１に形成された窓部である。
【００２３】
相対する短辺ｈ１ｂのもう一方の短辺ｈ１ｂには、把手部ｈ６が形成されている。把手部ｈ６は、もう一方の短辺ｈ１ｂの両端部付近に形成された、平板部ｈ１から延設された上部垂直部ｈ６ａと、上部垂直部ｈ６ａの下端から、ガイド片ｈ４方向に延在する水平部ｈ６ｂと、水平部ｈ６ｂの先端から下方に延在する下部垂直部ｈ６ｃと、下部垂直部ｈ６ｃを連結する架橋部ｈ６ｄとから形成されており、把手部ｈ６の中央領域には、作業者の指の爪や操作棒等の先端部が挿入可能な窓部ｈ６ｅが形成されている。
【００２４】
次に、図８を用いて、針金状のバネ部材Ｅについて説明する。
【００２５】
バネ部材Ｅは、略Ｕ字状の本体部（以下、単に、Ｕ字状本体部という。）ｅ１と、Ｕ字状本体部ｅ１の一端から、外側に向かって環状に形成された環状係止部ｅ２と、Ｕ字状本体部ｅ１のもう一端から、外側に向かって円弧状に形成されたフック状部ｅ３とから形成されている。
【００２６】
次に、図９及び図１０を用いて、保安器Ｓ、バネ部材Ｅ及び操作部材Ｈが組み立てられた状態について説明する。
【００２７】
バネ部材ＥのＵ字状本体部ｅ１の一端に形成された環状係止部ｅ２が、保安器Ｓを構成する基台ユニットＳ２の垂直面ｓ５ｂの裏面に形成された支持片ｓ６に突設されたスプリング支持ピンｓ６ａに挿入されているとともに、バネ部材ＥのＵ字状本体部ｅ１のもう一端に形成されたフック状部ｅ３が、操作部材Ｈを構成する支持片ｈ３の垂直部ｈ３ｂに穿設されたスプリング支持孔ｈ３ｃに係止される。このようにして、基台ユニットＳ２と操作部材Ｈとが、バネ部材Ｅにより連結された際には、操作部材Ｈのガイド片ｈ４が、基台ユニットＳ２のガイド凹部ｓ７ｃに挿入されるとともに、バネ部材Ｅの一部が、基台ユニットＳ２のスリットＧに挿入されている。
【００２８】
上述したようにして、基台ユニットＳ２、バネ部材Ｅ及び操作部材Ｈが組み立てられた際には、図９に示されているように、操作部材Ｈの係止突片ｈ２ａに形成された傾斜部ｈ２ｂと、基台ユニットＳ２の垂直面ｓ５ｂとの間には、ＤＩＮレールＲの下部垂直係止部ｒ３が挿入される下部間隙Ｖ１が形成されることとなる。また、基台ユニットＳ２の上端水平面ｓ５ａに垂下された固定係止突起部ｓ５ｃと、垂直面ｓ５ｂとの間には、ＤＩＮレールＲの上部垂直係止部ｒ２が挿入される上部間隙Ｖ２が形成されることとなる。
【００２９】
また、保安器Ｓが、ＤＩＮレールＲに取り付けられていない状態においては、図９及び図１０に示されているように、基台ユニットＳ２の固定係止突起部ｓ５ｃと、操作部材Ｈの係止突片ｈ２ａとの距離Ｄ１は、ＤＩＮレールＲの高さ（レール本体ｒ１の上部垂直係止部ｒ２の上端から、下部垂直係止部ｒ３の下端までの距離）Ｄ２より、短く構成されている。ＤＩＮレールＲに、保安器Ｓが取り付けられていない状態においては、バネ部材Ｅは、負荷が加わっていない状態である無負荷状態にある。従って、操作部材Ｈは、上下方向に移動することはない。
【００３０】
次に、保安器Ｓを、ＤＩＮレールＲに取り付ける場合について説明する。ＤＩＮレールＲに、保安器Ｓが取り付けられていない状態から、保安器Ｓを、ＤＩＮレールＲ方向に移動させて、先ず最初に、ＤＩＮレールＲの上部垂直係止部ｒ２を、上部間隙Ｖ２に挿入する。
【００３１】
更に、保安器Ｓを、ＤＩＮレールＲ方向に移動させると、ＤＩＮレールＲの下部垂直係止部ｒ３が、保安器Ｓの操作部材Ｈに形成されたガイド傾斜部ｈ２ｃに当接することになる。この状態から、なお更に、保安器Ｓを、ＤＩＮレールＲ方向に移動させると、上述したように、基台ユニットＳ２に形成された固定係止突起部ｓ５ｃと、操作部材Ｈに形成された係止突片ｈ２ａとの距離Ｄ１が、ＤＩＮレールＲの上部垂直係止部ｒ２と下部垂直係止部ｒ３との距離Ｄ２より短く構成されているので、ＤＩＮレールＲの下部垂直係止部ｒ３が、操作部材Ｈを、図９及び図１０において、下方に移動させることになる。そして、操作部材Ｈの係止突片ｈ２ａが、ＤＩＮレールＲの下部垂直係止部ｒ３を乗り越えた際には、下部垂直係止部ｒ３が、操作部材Ｈに形成された傾斜部ｈ２ｂと基台ユニットＳ２の垂直面ｓ５ｂとの間に形成された下部間隙Ｖ１に挿入され、図１に示されているように、ＤＩＮレールＲに、保安器Ｓが取り付けられることになる。この状態が、保安器Ｓが、ロックＤＩＮレールＲから離脱しないロック状態である。
【００３２】
上述したように、ＤＩＮレールＲに、保安器Ｓが取り付けらる際には、操作部材Ｈが下方に移動することになるので、フック状部ｅ３側に位置するバネ部材ＥのＵ字状本体部ｅ１も、下方に移動し、図１１に示されているように、バネ部材Ｅには、操作部材Ｈを上方に移動するような、弾性反発力が内蔵されることになる。従って、操作部材Ｈが下方に移動して、保安器Ｓが、ＤＩＮレールＲから外れるようなことはなく、保安器ＳとロックＤＩＮレールＲとのロック状態が解除されるようなことはない。
【００３３】
図１１に示されているような、保安器ＳとロックＤＩＮレールＲとのロック状態から、保安器Ｓに配設された操作部材Ｈを、バネ部材Ｅの弾性力に抗して、下方に移動させると、図１２に示されているように、ＤＩＮレールＲに形成された下部垂直係止部ｒ３が、下部間隙Ｖ１から排出された状態となる。この状態においては、図９に示されている、ＤＩＮレールＲに、保安器Ｓが取り付けられていない状態と同様に、バネ部材Ｅは、負荷が加わっていない状態であり、この状態が維持される。従って、操作部材Ｈが、移動するようなことはない。この状態が、ＤＩＮレールＲから、保安器Ｓの取り外すことができるロック解除状態である。このロック解除状態においては、操作部材Ｈが、上方に移動するようなことがないので、操作部材Ｈを、作業者が手で抑えることなく、ＤＩＮレールＲからの保安器Ｓの取り外し作業を、容易に、且つ、迅速に行なうことができる。
【００３４】
上述したように、保安器のＤＩＮレールへの取付装置において、保安器Ｓを構成する基台ユニットＳ２に形成された支持片ｓ６のスプリング支持ピンｓ６ａに、バネ部材ＥのＵ字状本体部ｅ１の一端に形成された環状係止部ｅ２が挿入されているとともに、操作部材Ｈを構成する支持片ｈ３に穿設されたスプリング支持孔ｈ３ｃに、バネ部材ＥのＵ字状本体部ｅ１のもう一端に形成されたフック状部ｅ３が係止されており、保安器ＳとＤＩＮレールＲとのロック状態においては、バネ部材Ｅの弾性力により、操作部材Ｈが下方に移動しないように構成されており、また、ＤＩＮレールＲからの保安器Ｓの取り外し可能なロック解除状態においては、操作部材Ｈが、上方に移動しないように構成されているので、ＤＩＮレールＲからの保安器Ｓの取り外し作業の際に、操作部材Ｈの上方への移動が阻止されるように構成したものである。従って、ＤＩＮレールＲからの保安器Ｓの取り外し作業を、容易に、且つ、迅速に行なうことができ、ＤＩＮレールＲからの保安器Ｓの取り外し作業の作業性が向上する。
【００３５】
また、操作部材Ｈに形成されたガイド片ｈ４が、保安器Ｓの基台ユニットＳ２に形成された係合部ｓ７のガイド凹部ｓ７ｃに挿入されるように構成したので、操作部材Ｈを、円滑に、且つ、安定して上下動させることができる。
【符号の説明】
【００３６】
Ｅ・・・・・・・・・・・・バネ部材
Ｈ・・・・・・・・・・・・操作部材
ｈ３・・・・・・・・・・・支持片
ｈ４・・・・・・・・・・・ガイド片
ｈ６・・・・・・・・・・・把手部
Ｒ・・・・・・・・・・・・ＤＩＮレール
ｒ２・・・・・・・・・・・上部垂直係止部
ｒ３・・・・・・・・・・・下部垂直係止部
Ｓ・・・・・・・・・・・・保安器
Ｓ１・・・・・・・・・・・サージ防護ユニット
Ｓ２・・・・・・・・・・・基台ユニット
Ｖ１・・・・・・・・・・・下部間隙
Ｖ２・・・・・・・・・・・上部間隙
【図１】
2013215031.tif 000003
【図２】
2013215031.tif 000004
【図３】
2013215031.tif 000005
【図４】
2013215031.tif 000006
【図５】
2013215031.tif 000007
【図６】
2013215031.tif 000008
【図７】
2013215031.tif 000009
【図８】
2013215031.tif 000010
【図９】
2013215031.tif 000011
【図１０】
2013215031.tif 000012
【図１１】
2013215031.tif 000013
【図１２】
2013215031.tif 000014